(57)【特許請求の範囲】
【請求項１】
複数本の対撚り線心を撚り合わせ、その撚り合わせ外周を押え巻きテープでテーピングしてなるインターフェースケーブルにおいて、上記撚り合わせ外周をクッション層を有する押え巻きテープでテーピングして上記撚り合わせ外周と上記押え巻きテープとの間にクッション層を設け、該クッション層を撚り合わせ外周の凹凸に倣って変形させることにより撚り合わせ外周の凹凸をクッション層で充填し、その押え巻きテープの外周をシースで被覆したことを特徴とするインターフェースケーブル。
【請求項２】
押え巻きテープが、ポリオレフィン系テープからなる請求項１記載のインターフェースケーブル。
【請求項３】
押え巻きテープが、撚りあわせ外周と接触しない方の面に金属層を有する請求項１又は２記載のインターフェースケーブル。
【請求項４】
複数本の対撚り線心を撚り合わせ、その撚り合わせ外周を押え巻きテープでテーピングしてなるインターフェースケーブルの製造方法において、上記撚り合わせ外周をクッション層を有する押え巻きテープでテーピングして上記撚り合わせ外周と上記押え巻きテープとの間にクッション層を設け、該クッション層を撚り合わせ外周の凹凸に倣って変形させることにより撚り合わせ外周の凹凸をクッション層で充填することを特徴とするインターフェースケーブルの製造方法。
【発明の詳細な説明】
【０００１】
【発明の属する技術分野】
本発明は、インターフェースケーブル及びその製造方法に係り、特に、特性インピーダンスなどの電気特性が規定されるインターフェースケーブル及びその製造方法に関するものである。
【０００２】
【従来の技術】
機器間連絡用ケーブルであるインターフェースケーブルは、コンピュータ、パソコン、ワークステーションなどのコンピュータ本体と付随する装置間（例えば、入出力装置−演算装置−記憶装置間）、またはコンピュータ本体と各種端末機器間（例えば、ＣＲＴ、プリンタなど）の信号伝送に用いられている。
【０００３】
インターフェースケーブルは、伝送する信号の性能上、静電容量、特性インピーダンスなどの電気特性が問題となる場合があり、その場合、例えば、図２に示すように、導体２１をＰＥなどの絶縁体２２で被覆した線心２３を対撚りしてなる対撚り線心２４を複数本（図２中では４本）撚り合わせた多心のものが使用される。
【０００４】
複数本の対撚り線心２４を撚り合わせた際、撚り合わせ外周に、紙テープ、プラスチックテープ、又は金属箔を貼り合わせたプラスチックテープなどの押え巻きテープ２５をテ−ピングする。その後、押え巻きテープ２５の外周を、編組シールド２６およびシース２７で被覆してインフェースケーブル２０が得られる。また、複数本の対撚り線心２４の撚り合わせ外周と押え巻きテープ２５の間の隙間には、ケーブル２０の横断面を円状に保持すべく、綿糸などの介在２８が配置される。
【０００５】
近年、機器またはシステムの輸出の増加に伴って、インフェースケーブル２０においては、特性インピーダンスなどの電気特性を一定値に規定したもの、例えば、アメリカ合衆国のＵＬ（Under writers Laboratories）規格に基づいて認定を得たもの等が主流となってきている。
【０００６】
【発明が解決しようとする課題】
ところで、前述した隙間に介在２８を配置することなく、押え巻きテープ２５でテーピングすると、テープ２５と対撚り線心２４との間に、対撚り線心２４の長手方向（図２では図面と垂直な方向）および周方向に亘って隙間（凹凸）が生じてしまうことから、その隙間に存在する空気層（又は空間）が、特性インピーダンスの低下等を引き起こし、電気特性のバラツキ、不均一の要因となってしまい、電気特性の安定を図ることが困難となってしまう。
【０００７】
また、前述した隙間に介在２８を配置したとしても、その配置の際に、湿度の高い環境で作業を行うと、綿糸に含まれた水分が、電気特性のバラツキ、不均一の要因となってしまい、電気特性の安定を図ることが困難となってしまう。
【０００８】
以上の事情を考慮して創案された本発明の目的は、安定した電気特性を有するインターフェースケーブルを提供することにある。
【０００９】
本発明の他の目的は、安定した電気特性を有するインターフェースケーブルを、簡単・容易に製造する方法を提供することにある。
【００１０】
【課題を解決するための手段】
上記目的を達成すべく本発明に係るインターフェースケーブルは、複数本の対撚り線心を撚り合わせ、その撚り合わせ外周を押え巻きテープでテーピングしてなるインターフェースケーブルにおいて、上記撚り合わせ外周をクッション層を有する押え巻きテープでテーピングして上記撚り合わせ外周と上記押え巻きテープとの間にクッション層を設け、該クッション層を撚り合わせ外周の凹凸に倣って変形させることにより撚り合わせ外周の凹凸をクッション層で充填し、その押え巻きテープの外周をシースで被覆したものである。
【００１１】
以上の構成によれば、撚り合わせ外周を、クッション層を有する押え巻きテープでテーピングすることで、撚り合わせ外周の凹凸がクッション層で充填され、撚りあわせ外周と押え巻きテープとの間に隙間がなくなる。
【００１２】
また、押え巻きテープは、ポリオレフィン系テープからなることが好ましい。
【００１３】
また、押え巻きテープが、撚りあわせ外周と接触しない方の面に金属層を有していてもよい。
【００１４】
一方、本発明に係るインターフェースケーブルの製造方法は、複数本の対撚り線心を撚り合わせ、その撚り合わせ外周をクッション層を有する押え巻きテープでテーピングする際、その押え巻きテープのクッション層を撚り合わせ外周の凹凸に倣って変形させ、撚り合わせ外周の凹凸をクッション層で充填するものである。
【００１５】
以上の方法によれば、撚り合わせ外周を、クッション層を有する押え巻きテープでテーピングする際、その押え巻きテープのクッション層が撚り合わせ外周の凹凸に倣って変形することから、撚り合わせ外周の凹凸がクッション層で充填され、これによって、撚りあわせ外周と押え巻きテープとの間の隙間がなくなる。
【００１６】
【発明の実施の形態】
以下、本発明の好適一実施の形態を添付図面に基いて説明する。
【００１７】
本発明のインターフェースケーブルの横断面図を図１に示す。ここで、図２と同様の部材には同じ符号を付している。
【００１８】
図１に示すように、本発明のインターフェースケーブル１０は、導体２１を絶縁体２２で被覆した線心２３を対撚りしてなる対撚り線心２４を複数本（図１中では４本）撚り合わせ、その撚り合わせ外周をクッション層１２を有する押え巻きテープ１１でテーピングし、その押え巻きテープ１１の外周をシース２７で被覆してなるものである。ここで、押え巻きテープ１１とシース２７の間に、適宜、編組シールド２６を設けてもよい。
【００１９】
押え巻きテープ１１としては、撚り合わせ外周の凹凸１５に倣って変形可能なクッション層１２を有するテープであれば特に限定するものではないが、ポリオレフィン系テープが好ましく、例えば、発泡ポリエチレン、発泡ポリプロピレン等が挙げられる。
【００２０】
クッション層１２の層厚は、撚りあわせ外周の最大外径および凹凸１５の大きさに応じて適宜選択されるものであり、特に限定するものではないが、例えば、約１〜１０ｍｍが好ましい。
【００２１】
押え巻きテープ１１は、クッション層１２の撚りあわせ外周と接触する方の面に粘着層１３を有している。また、テープ１１は、撚りあわせ外周と接触しない方の面（図１では編組シールド２６側の面）に金属層１４を有していてもよい。ここで、金属層１４は、クッション層１２に金属箔を貼り合わせる、又はクッション層１２に金属粉を蒸着或いは塗布する等の方法により形成される。
【００２２】
次に、本発明に係るインターフェースケーブルの製造方法を、図１を参照して説明する。
【００２３】
導体２１を絶縁体２２で被覆した線心２３を対撚りして対撚り線心２４を形成した後、この対撚り線心２４を複数本撚り合わせると共に、これらの対撚り線心２４の撚り合わせ外周にクッション層１２を有する押え巻きテープ１１をテーピングする。この時、押え巻きテープ１１のテーピング方法は、長手方向に亘ってらせん状に巻き付ける巻き回し、又は縦添えのいずれであってもよい。
【００２４】
ここで、押え巻きテープ１１を撚り合わせ外周にテーピングすることで、押え巻きテープ１１のクッション層１２が、撚り合わせ外周の凹凸１５、即ち対撚り線心２４における周方向及び長手方向の凹凸１５に倣って変形する。これによって、撚り合わせ外周の凹凸１５がクッション層１２で略完全に充填される。
【００２５】
その後、押え巻きテープ１１の外周に、順次、編組シールド２６、シース２７を被覆してインターフェースケーブル１０を得る。
【００２６】
本発明に係るインターフェースケーブル１０及びその製造方法によれば、対撚り線心２４の撚り合わせ外周に押え巻きテープ１１をテーピングすることで、撚り合わせ外周の凹凸１５がクッション層１２で略完全に充填され、撚りあわせ外周と押え巻きテープ１１との間に空気層（又は空間）が存在しなくなることから、ケーブル１０の特性インピーダンスの低下等が引き起こされることがなく、安定した電気特性を得ることができる。
【００２７】
また、図２に示した従来のケーブル２０のように、対撚り線心２４の撚り合わせ外周と押え巻きテープ２５の間に介在２８を配置しなくても、撚り合わせ外周の凹凸１５がクッション層１２で略完全に充填されていることから、ケーブル１０の横断面を円状に保持することができる。これによって、ケーブルを円状に保持するために必要としていた介在が不要となることから、ケーブル１０の製造が簡単・容易となり、従来と比較して、ケーブル１０の製造コストの低減を図ることができる。
【００２８】
以上、本発明の実施の形態は、上述した実施の形態に限定されるものではなく、他にも種々のものが想定されることは言うまでもない。
【００２９】
【発明の効果】
以上要するに本発明によれば、次のような優れた効果を発揮する。
（１）  撚り合わせ外周をクッション層を有する押え巻きテープでテーピングすることで、撚り合わせ外周の凹凸がクッション層で充填され、撚りあわせ外周と押え巻きテープとの間に隙間がなくなる。
（２）  （１）により、隙間がなくなることから、安定した電気特性のインターフェースケーブルを得ることができる。
【図面の簡単な説明】
【図１】本発明に係るインターフェースケーブルの横断面図である。
【図２】従来のインターフェースケーブルの横断面図である。
【符号の説明】
１０  インターフェースケーブル
１１  押え巻きテープ
１２  クッション層
１４  金属層
１５  凹凸
２４  対撚り線心
２７  シース
【図１】
0004491971.tif 000002
【図２】
0004491971.tif 000003